(57)【要約】本発明は、ファッションアクセサリーの内部を照明するための装置、およびファッションアクセサリーを組み立てるための方法を含んでいる。照明デバイスの様々な要素は、ファッションアクセサリーの内部の裏張りの背後にこれら要素を含めることによって見えなくされ得る。照明源は、所望の色の照明を提供するように選択され得る。加えて、電源は再充電可能であり得、追加的な電子デバイスに電力供給するように構成され得る。なおもさらに、照明源およびファションアクセサリーのフレームは、ファッションアクセサリーの残りのリジッドではないコンポーネントから別個に組み立てられ得る。
2009505694.tif 000002
【特許請求の範囲】
【請求項１】
照明装置を有するファッションアクセサリーであって、該照明装置は、該ファッションアクセサリーの内部を照明し、
実質的にリジッドなフレームと、
該フレーム上に直接的に搭載された照明源と、
該照明源と電気通信する電源と、
該照明源と電気通信するスイッチと
を備えている、ファッションアクセサリー。
【請求項２】
前記照明源は、エレクトロルミネセントワイヤを含んでいる、請求項１に記載のファッションアクセサリー。
【請求項３】
前記エレクトロルミネセントワイヤは、その長さの少なくとも一部分に沿ってウェルトをさらに含んでおり、該エレクトロルミネセントワイヤは、前記フレームと該ウェルトとの間の機械的相互作用によって、該フレームに固定される、請求項２に記載のファッションアクセサリー。
【請求項４】
前記ウェルトはダブルウェルトである、請求項３に記載のファッションアクセサリー。
【請求項５】
前記フレームは、少なくとも一組のクリップをさらに含んでおり、前記エレクトロルミネセントワイヤは、該クリップとの機械的相互作用によって、該フレームに固定されている、請求項２に記載のファッションアクセサリー。
【請求項６】
前記フレームは、前記照明源と光通信する光透過性の材料をさらに含んでいる、請求項１に記載のファッションアクセサリー。
【請求項７】
前記照明源は、少なくとも１つの発光ダイオード（「ＬＥＤ」）である、請求項１に記載のファッションアクセサリー。
【請求項８】
前記照明源は、前記スイッチが「オン」位置にあるときに活性化され、該照明源は、該スイッチが「オフ」位置にあるときに不活性化され、該スイッチは、前記ファッションアクセサリーが開かれたときに「オン」位置になり、該スイッチは、該ファッションアクセサリーが閉じられたときに「オフ」位置になる、請求項１に記載のファッションアクセサリー。
【請求項９】
前記照明源が活性化されるとき、該照明源は色付きで発光する、請求項８に記載のファッションアクセサリー。
【請求項１０】
前記スイッチは、磁気リードスイッチである、請求項１に記載のファッションアクセサリー。
【請求項１１】
前記電源と前記照明源との間に構成されたインバータをさらに含んでおり、該インバータは、それらに電気的に接続されている、請求項１に記載のファッションアクセサリー。
【請求項１２】
前記インバータおよびスイッチは、互いに単一のアセンブリに包囲されている、請求項１１に記載のファッションアクセサリー。
【請求項１３】
財布、ハンドバック、札入れ、ウォレット、バックパック、ブリーフケース、肩掛けかばん、旅行用かばん、スーツケース、サングラス用のケース、および化粧品用のケースからなる群から選択される、請求項１に記載のファッションアクセサリー。
【請求項１４】
前記電源は、再充電可能な電源である、請求項１に記載のファッションアクセサリー。
【請求項１５】
内部のファッションアクセサリーの電力コンセントをさらに含んでいる、請求項１に記載のファッションアクセサリー。
【請求項１６】
照明デバイスを有するファッションアクセサリーを組み立てるための方法であって、
照明源が直接的に搭載される実質的にリジッドなフレームを提供することであって、該照明源は、スイッチおよび電源と電気通信する、ことと、
該ファッションアクセサリーの比較的リジッドではないコンポーネントに、該実質的にリジッドなフレームを機械的に固定することと
を包含する、方法。
【請求項１７】
前記照明源は、少なくとも１つのエレクトロルミネセントワイヤおよび少なくとも１つの発光ダイオード（「ＬＥＤ」）からなる群から選択される、請求項１６に記載の方法。
【請求項１８】
前記スイッチは、該スイッチが「オン」位置にあるときに前記照明源が活性化され、該スイッチが「オフ」位置にあるときに該照明源が活性化され、前記ファッションアクセサリーが開かれたときに該スイッチが「オン」位置になり、該ファッションアクセサリーが閉じられたときに該スイッチが「オフ」位置になるように構成されている、請求項１６に記載の方法。
【請求項１９】
前記電源と前記照明源との間にインバータを電気的に接続することをさらに含んでいる、請求項１６に記載の方法。
【請求項２０】
前記インバータおよび前記スイッチは、互いに単一のアセンブリに包囲されている、請求項１９に記載の方法。
【請求項２１】
前記ファッションアクセサリーは、財布、ハンドバック、札入れ、ウォレット、バックパック、ブリーフケース、肩掛けかばん、旅行用かばん、スーツケース、サングラス用のケース、および化粧品用のケースからなる群から選択される、請求項１６に記載の方法。
【発明の詳細な説明】
【技術分野】
【０００１】
本出願は、米国特許出願第１０／９７２，００８号（２００４年１０月２２日）の一部継続出願であり、これは、現在では放棄されている米国特許出願第１０／４４７，７８４号（２００３年５月２９日出願）の一部継続出願であり、これは、３５  Ｕ．Ｓ．Ｃ．§１１９に基づく米国仮特許出願第６０／３８５，６８３号（２００２年６月４日出願）の優先権の利益を主張する。上記出願の内容は、それらの全体があたかも完全に開示されているかのように、参照により本明細書中に援用される。
【０００２】
（発明の分野）
本発明は、ファッションアクセサリーに関し、より具体的には、ファッションアクセサリーの内部を照明するための方法および装置に関する。
【背景技術】
【０００３】
（発明の背景）
しばしば人々は、自らの所持品を運ぶために、様々なポータブルファッションアクセサリーを使用する。例えば、多くの女性は財布または札入れを携行するが、現在の流行として、伝統的なブリーフケースおよびアタッチケース以外の男性のための同様のアクセサリーにおける増加が見られてきている。様々なアイテムがそのようなアクセサリー内に格納され、包含され得るが、それでも適切な照明がないと、これらのアクセサリー内に存在する特定のアイテムの位置を探り当てることは、困難かつ苛立たしいものとなり得る。
【発明の開示】
【課題を解決するための手段】
【０００４】
（発明の概要）
本発明の実施形態は、ファッションアクセサリーの内部を照明するための装置および方法を提供する。本発明の照明デバイスは、デバイスの視認度を低減させることによって、魅力的のある最終的な製品を提供するために、内部の裏張り（ｌｉｎｉｎｇ）またはファッションアクセサリーの別のコンポーネントによって、少なくとも部分的に隠され得る。
【０００５】
様々な実施形態において、照明は、ファッションアクセサリーの内部の周辺の少なくとも一部分に縫い付けられるか固定された照明源によって提供され得る。例えば、これは、ファッションアクセサリーの内部の裏張りに縫い付けられ得、かつ／またはフレームまたはファッションアクセサリーの別のリジッド（ｒｉｇｉｄ）なコンポーネントによって、ファッションアクセサリーに固定され得る。本発明のなおもさらなる実施形態において、照明源は、フレームまたはファッションアクセサリーの別のリジッドなコンポーネントに機械的に固定され得、その後にアクセサリーの１つ以上の残りのコンポーネントに取り付けられ得るアセンブリを形成し得る。残りのコンポーネントは、比較的リジッドではない材料（例えば、布、織物、レザー、等）から構成されたものであり得る。
【０００６】
本発明の代替的な実施形態に記載されている様々な照明源のうちの１つを選択することによって、照明は様々な色で提供され得る。照明源はまた、２重照明源であり得、例えば、分岐したワイヤと電気通信するエレクトロルミネセントワイヤの２つのストランドであり得、これは、エレクトロルミネセントワイヤのストランドを、単一の電源に接続する。代替的な実施形態において、照明源は１つ以上の発光体、例えば、フレームまたはファッションアクセサリーのその他のリジッドなコンポーネントにおいて構成される光透過性材料（例えば、様々なプラスチック、ガラス、等）と光学的に通信する、発光ダイオードまたは「ＬＥＤ」であり得る。例えば、ファッションアクセサリーのフレームを介して溝が形成され得、この溝は、光透過性材料によって充填され得る。動作中、１つ以上の発光体（例えば、ＬＥＤ）が照明されたときに、放出された光は、光透過性材料の全体に沿って発光効果が形成されるように、光透過性材料を介して伝送される。
【０００７】
本発明のさらなる実施形態は、ファッションアクセサリーの内部を照明するデバイスを提供し、このデバイスは、アクセサリーが開かれたときに「オン」位置に切り替わり、逆にアクセサリーが閉じられたときに「オフ」位置に切り替わる。
【０００８】
本発明のなおもさらなる実施形態は、照明源と電気通信する再充電可能バッテリーを再充電するために用いられ得る再充電アセンブリを提供する。再充電アセンブリは、シガレットライターのアダプタ、壁のコンセント、および太陽電源等から、外部電力を受信するように構成され得る。再充電アセンブリは、追加的に、内部ファッションアクセサリー電力コンセントを含み得、これは、例えばＭＰ３プレイヤー、パーソナルデータアシスタント（「ＰＤＡ」）、セルラ電話、またはその他の電子デバイスに電力供給するために用いられ得る。
【発明を実施するための最良の形態】
【０００９】
（発明の詳細な説明）
本発明の実施形態は、ファッションアクセサリーの内部を照明する照明デバイスを提供する。そのような照明により、ファッションアクセサリーは、特に周囲の光学的条件が、ファッションアクセサリーの内容物を視覚的に見分けることを困難にし得るものであるときに、アクセサリーの内部に含まれている特定のアイテムの位置を探り当てることがより便利になる。例えば、本発明の照明デバイスの実施形態は、薄暗い光の部屋においてハンドバック内の特定のアイテムを探す場合に、あるいは夜間に駐車場にいるときに、同様のハンドバック内にある車のキーを見つけようとする場合に、有用であり得る。
【００１０】
本発明の照明デバイスは、ファッションアクセサリーに対して、新しいファッショナブルな品質を与えるという追加的な利点を有している。なぜならば、代替的な実施形態において、照明源は様々な色から選択され得るからである。したがって、照明されるときに、ファションアクセサリーの内部は、選択された色で照明されたり、発光されたりし得る。例えば、本発明の一実施形態において、財布の内部は、対応する照明源が選択されたときに、青い色相の光を用いて照明され得る。しかしながら、当業者によって容易に理解されるように、本発明の代替的な実施形態に関連して、照明源に対して、様々な色が選択され得る。さらに、代替的な実施形態では、ファッションアクセサリーにおいて、複数の照明源が含まれ得る。これは、多くの利点、特に、個々の照明源からの色相の組み合わせに基づいて、照明の色相を形成する能力を有し得る（例えば、組み合わせとして用いられたときに、黄色の色相を有する照明源は、青い色相を有する照明源と組み合わさって、緑色の色相の効果を形成し得る）。
【００１１】
さらに、本発明の代替的な実施形態において、照明装置の少なくとも一部分は、裏張り内またはファッションアクセサリーの別の同様の部分内に、見えないように隠され得、これにより、人々が、照明効果を提供する機能を果たす機構を最小限しか認識できないようにするか、照明効果を提供する機能を果たす機構を認識できないようにする。これは、実現可能な範囲においてできるだけ照明デバイスの様々な要素（例えば、ワイヤ、電源）を見えないようにすることが好適であると考えられる場合に、本発明の実施形態がファッションアクセサリーに含まれる限りにおいて、特に有利であり得る。したがって、本発明の好適な実施形態において、照明源と照明源を制御するスイッチとは、ファッションアクセサリーを開いた際に視認できるが、照明デバイスの残りの要素は、実質的に視野から隠れている。
【００１２】
本発明の実施形態にしたがう使用に適したファッションアクセサリーは、財布、ハンドバック、札入れ、ウォレット、バックパック、ブリーフケース、肩掛けかばん、旅行用かばん、スーツケース、サングラスおよび化粧品用のケース、および当業者によって容易に認識され得るその他任意の適切なファッションアクセサリーを含むが、これらには限定されない。
【００１３】
本発明の実施形態にしたがう使用に適した照明源は、チューブ状の照明機構、例えば、エレクトロルミネセントワイヤ、光ファイバー照明源、電球、ＬＥＤ、およびファッションアクセサリーの内部に照明を提供するように構成され得る、当業者によって容易に理解され得るその他任意のコンポーネントを含むが、これらには限定されない。本発明の一実施形態において、照明源は、例えば登録商標ＬＹＴＥＣ（Ｒ）のもとでＥｌａｍ  Ｅｌｅｃｔｒｏｌｕｍｉｎｅｓｃｅｎｔ  Ｉｎｄｕｓｔｒｉｅｓ，Ｌｔｄ（イスラエル、エルサレム）から入手可能なエレクトロルミネセントワイヤである。
【００１４】
図１を参照すると、本発明の一実施形態において、ファッションアクセサリー１００は、電源１０２に電気的に接続された照明源１０１を含んでいる。本発明の実施形態にしたがう使用に適した電源１０２は、バッテリー、太陽電池、等を含むが、これらには限定されない。本発明の好適な実施形態において、電源１０２は、バッテリーを含んでおり、最も好適な実施形態において、電源１０２は、２つのＡＡバッテリーを含んでいる。当業者に理解され得るように、本発明の電源１０２は、照明源１０１の電気的要件にしたがう十分な電力を提供するように、適切に選択され得る。
【００１５】
本発明の代替的な実施形態において、図８に示されているように、電源１０２は再充電可能なバッテリー１０２Ａであり得、これは、外部電源２０１（例えば、シガレットライターのアダプタ、壁のコンセント、太陽電源、または外部電力のその他任意の適切な電源）から（例えば、再充電するために）外部電力を受信するように、構成され得る。電気通信は、一対のアダプタジャック２０２、２０３によって、再充電可能電源１０２Ａと外部電源２０１との間で確立され得る。第１のアダプタジャック２０２は、ファッションアクセサリー上の都合のよい位置（例えば、外的にアクセス可能なアクセサリー上の位置）に構成されたり、あるいはこれを外部からの視認されないようにするために、ファッションアクセサリーの内部に構成されたりし得る。電力変換器２０４は、再充電可能電源１０２Ａと一対のアダプタジャック２０２、２０３との間に含まれ得る。第２のアダプタジャック２０３は、第２のアダプタジャック２０３と外部電源２０１との間で電気通信するための手段を含む別個のアセンブリ上で構成され得る。
【００１６】
さらに、再充電アセンブリは、内部のファッションアクセサリー電力コンセント２０５を含み得、これは、電子デバイス、例えば、ＭＰ３プレイヤー、パーソナルデータアシスタント（「ＰＤＡ」）、セルラ電話、または別の電子デバイスに、電力供給するために用いられ得る。内部のファッションアクセサリー電力コンセント２０５は、ファッションアクセサリーの内部に構成され得、内部のファッションアクセサリー電力コンセント２０５と再充電可能な電源１０２Ａによって電力供給される電子デバイスとの間の電気通信を提供するための手段を含み得る。
【００１７】
照明源１０１は、スイッチ１０３にさらに電気的に接続され得、これは、ファッションアクセサリー１００が開かれたときに、照明源が「オン」位置になり、ファッションアクセサリー１００が閉じられたときに、照明源が「オフ」位置になるように、照明源１０１を制御する。本発明のスイッチ１０３は、照明源１０１の「オン」および「オフ」状態を制御するように動作する任意の適切なスイッチ１０３であり得るが、好適な実施形態において、スイッチ１０３は、磁気リードスイッチである。本発明の実施形態において用いられる磁気リードスイッチは、図１に例示的に示されているように、２つの要素を含んでいる。第１の要素１１１は、電源１０２に電気的に接続され得、第２の要素１１２は、第１の要素１１１と磁気的に接触し得る。本発明の好適な実施形態において、第１の要素１１１および第２の要素１１２は、ファッションアクセサリー１００が閉じられたときに、要素１１１、１１２が互いに磁気的に接触し、ファッションアクセサリー１００が開かれたときに、一方を他方から分離するように、ファッションアクセサリー１００の開口部１０８に固定または取り付けられている。そのような実施形態において、２つの要素１１１、１１２は、ファッションアクセサリー１００が開かれたとき、スイッチ１０３が機能して照明源１０１を動作せるように、互いに十分な距離に分離することが好適である。
【００１８】
照明源１０１、電源１０２、およびスイッチ１０３は、例えばワイヤ１０４のような任意の適切な機構によって、電気的に接続され得るが、そのような電気的接続を提供するためのその他の機構もまた、当業者には理解され得る。本発明の一実施形態において、ワイヤ１０４は接合部１１０を含んでおり、ワイヤ１０４はここで分離して、接合部１１０の１つの端部において、スイッチ１０３に到達しており、接合部１１０のその他の端部において、照明源１０１に到達している。
【００１９】
図１にさらに示されているように、本発明の代替的な実施形態において、インバータ１０９が、電源１０２と照明源１０１との間に含まれ得る。インバータ１０９は、照明源１０１に適切な大きさの電力を提供することができるように、電力レベルを調整し得る。図１において、インバータ１０９は、電源１０２と接合部１１０との間に例示的に示されているが、本発明の代替的な実施形態において、インバータ１０９は、接合部１１０と照明源１０１との間に含まれ得る（図示されず）。
【００２０】
本発明のなおもさらなる実施形態において、図１１に示されているように、インバータ１１０６およびリードスイッチ１１０１は、互いに単一のアセンブリ１１００に包囲され得る。電力はアセンブリ１１００に入力１１０２され得、オプションとして（例えば、外部の電子デバイスに電力を提供するように構成された、本発明の実施形態において）出力１１０３され得る。１つ以上の照明源１１０４、１１０５は、アセンブリ１１００に直接的に接続され得、それらのコンポーネントと電気通信し得る。図１１では、例示のために２つの照明源が示されているが、任意の数の照明源（互いに同じものであるか、異なったものである）が、本発明の代替的な実施形態に関連して用いられ得ることは、当業者に理解され得、本発明の範囲内にある。
【００２１】
さらに、単一のアセンブリは、その動作を可能にするために、ファッションアクセサリーにおける多くの位置のうちの任意の位置に配置され得る。一部の実施形態において、フレームまたは照明源を含むファッションアクセサリーのその他のリジッドなコンポーネントにおいて、このコンポーネントの上に、あるいはこのコンポーネントの下に、アセンブリを直接的に配置することが好適であり得る。代替的な実施形態において、アセンブリは、フレームまたはファションアクセサリーのその他のリジッドなコンポーネントから、遠隔的に配置され得、ワイヤ接続を介することにより、照明源と電気通信する。本発明のこの局面に関するバリエーションは、当業者に容易に理解され得、本発明の範囲内にあると考えられる。
【００２２】
本発明の代替的な実施形態において、図５に示されているように、照明源１０１は、２重照明源１０１Ａであり得る。例えば、エレクトロルミネセントワイヤ３０１、３０２の２つのストランドは、エレクトロルミネセントワイヤ３０１、３０２のストランドを単一の電源１０２に接続する分岐したワイヤ３０３と電気通信する。磁気スイッチ１０３およびインバータ１０９が、本発明のこの実施形態に、追加的に含まれ得る。図６に示されているように、特にファッションアクセサリー１００が財布であるとき、照明デバイスのこの構成は、ファッションアクセサリー１００における向かい合う側部に、ファッションアクセサリー１００におけるエレクトロルミネセントワイヤ３０１、３０２の２つのストランドの各々を含めることを可能にする。より具体的には、エレクトロルミネセントワイヤ３０１、３０２のストランドの各々は、エレクトロルミネセントワイヤ３０１、３０２のいずれのストランドのどの部分も、ヒンジ３０４またはファッションアクセサリー１００のその他の可動要素を横断するように構成されないように、ファッションアクセサリーの開口部の別個の側部に含まれ得る。分岐したワイヤ３０３はむしろ、ヒンジ３０４に横断するように構成され得る。この実施形態において、単一の電源１０２は、ファッションアクセサリーが開かれたときに、それが見えないようにするために、ポケット３０５に隠されたものとして示されている。様々な実施形態において、ポケット３０５は、（例えば、バッテリーの交換のための）単一の電源１０２に対する容易なアクセスを可能にするために、ジッパーファスナー等を含み得る。
【００２３】
エレクトロルミネセントワイヤは柔軟なので、エレクトロルミネセントワイヤは（例えば、ファッションアクセサリーにおける装着のために）特定の形状に屈曲することができる。しかしながら、エレクトロルミネセントワイヤは、繰り返しの屈曲に対しては、その中のフィラメントが破断してしまうので、十分に耐久しない傾向がある。したがって、エレクトロルミネセントワイヤが財布またはその他のファッションアクセサリーのヒンジを横断し、（例えば、通常の使用中に）財布またはその他のファッションアクセサリーが繰り返し開閉されるとき、ワイヤが破断したり、あるいはその機能が最適ではなくなったりし得る。したがって、本発明のこの特定の実施形態において、エレクトロルミネセントワイヤは、繰り返し屈曲されない；その代わりに、エレクトロルミネセントワイヤは、最初の取り付けのためだけに屈曲される。その後、分岐したワイヤのみが屈曲される。これは、ファッションアクセサリーの耐久性を顕著に向上させ得、照明デバイスの期待耐用年数を引き延ばし得る。
【００２４】
図２に示されているように、電源１０２、インバータ１０９、およびワイヤ１０４は、ファッションアクセサリー１００の内部に含まれ得るが、さらにファッションアクセサリー１００の壁１０５と内部の裏張り１０６との間に構成され得る。電源１０２、インバータ１０９、およびワイヤ１０４のこの構成は、ファッションアクセサリー１００が開かれたときに、これらの要素を見えないようにし得る。さらに、照明源１０１は、ファッションアクセサリー１００に縫い付けられるか固定され得る。本発明の一実施形態にしたがうと（すなわち、ファッションアクセサリー１００は財布であるとする）、照明源１０１は、内部の裏張り１０６の周囲において、好適には内部の裏張り１０６と壁１０５との間の境界において、またはこの境界の付近で、ファッションアクセサリー１００に縫い付けられるか固定され得る。このように、照明源１０１をファッションアクセサリー１００に固定するために、縫い目１０７が含まれ得る。代替的または追加的に、照明源１０１は、図７に示されているように、照明源１０１のリップのまわりにおけるファッションアクセサリーのフレーム４０１の機械的封止（例えば、クリンピング）によって、ファッションアクセサリー１００に固定され得る。
【００２５】
あるいは、フレームまたはファッションアクセサリーのその他のリジッドなコンポーネントならびに照明源、そしてオプションとしてシステムの電子素子（例えば、単一アセンブリ等）の特定の要素を、これらの要素をファッションアクセサリーの残りのコンポーネント（例えば、例えば織物、布、レザー等の様々なリジッドではない材料から構成され得るコンポーネント）に固定する前に、構成または製造することが望ましい。当業者に理解され得るように、この点に関し、本発明の多くの代替的実施形態は、不必要な実験をすることなしに、容易に実施され得、これら代替的実施形態の各々は、本発明の範囲内にあること考えられる。
【００２６】
図１０に示されているように、限定のためではない実施例によれば、照明源１００１は、その長さに沿ってウェルト（ｗｅｌｔ）１００６を含み得る。ウェルト１００６は、フレーム１００４またはファッションアクセサリーのその他のリジッドなコンポーネントによって、あるいはフレーム上に構成された別の要素（例えば、クリンプ１００７または溝１００８）によって、クリンプまたは係合され得る、機械的要素を提供する。例えば、図１０Ａは、磁気的リードスイッチおよびインバータを含む単一のアセンブリ１００２を有する、ファッションアクセサリーの側壁フレーム１００４を示している。フレーム１００４における延長部１００３は、アセンブリ１００２が、実質的に見えないようにすることを保証する。照明源１００１は、フレーム１００４の内縁から突出している。
【００２７】
図１０Ｂに示されているように、フレーム１００４は、「Ｓ」字型の断面を有するように構成され得る。この実施形態において、フレーム１００４の１つの側部は、その長さに沿ってクリンプされ得、ファッションアクセサリー１００５の縫い目またはその他の部分に機械的に係合して固定され得る。同様に、フレーム１００４のその他の側部は、その長さに沿ってクリンプされ得、照明源１００１の軸の長さに沿って走っているウェルト１００６に機械的に係合して固定され得る。
【００２８】
図１０Ｃに示されているように、本発明の代替的な実施形態において、フレーム１００４は、「Ｗ」字型の断面を有するように構成され得る。この実施形態において、フレーム１００４の両側部は、その長さに沿ってクリンプされ得、軸の長さに沿って走っており、２つの照明源１００１の各々に対応している、ウェルト１００６の各々に機械的に係合して固定され得る。同様に、フレーム１００４の中央部は、その長さに沿ってクリンプされ得、ファッションアクセサリー１００５の縫い目またはその他の部分に機械的に係合して固定され得る。
【００２９】
図１０Ｄに示されているように、本発明の別の代替的な実施形態において、フレーム１００４は、逆「Ｕ」字型の断面を有するように構成され得る。この実施形態において、フレーム１００４は、その長さに沿ってクリンプされ得、ファッションアクセサリー１００５の縫い目またはその他の部分に機械的に係合して固定され得る。フレーム１００４の外部の部分は、その長さに沿って分離された一連のクリンプ１００７を含み得、照明源１００１に機械的に係合され得る。本発明のこの特定の実施形態において、照明源１００１がウェルトを含むことは望ましくない。
【００３０】
図１０Ｅに示されているように、本発明の別の代替的な実施形態において、フレーム１００４は、これがその長さに沿って１つの側部にクリンプされ得、ファッションアクセサリー１００５の縫い目またはその他の部分に機械的に係合して固定され得るように、構成され得る。フレーム１００４のその他の側部は、その長さに沿って溝１００８を含み得、照明源１００１の軸の長さに沿って走っているダブルウェルト１００９を機械的に係合し得る。この実施形態において、溝１００８は、照明源１００１およびダブルウェルト１００９を軸の端部から溝１００８にスライドさせることによって、ダブルウェルト１００９を係合し得る。
【００３１】
代替的な実施形態において、照明源は、ファッションアクセサリーのフレームまたはその他のリジッドなコンポーネントにおいて構成された光透過性材料（例えば、様々なプラスチック、ガラス、等）と光通信する、１つ以上の発光体（例えば、ＬＥＤ）であり得る。例えば、図９を参照すると、溝９０３が、ファッションアクセサリーのフレーム９０１を介して形成され得、これは、光透過性材料９０５で充填され得る。動作中に（例えば、リードスイッチおよびインバータスイッチ９０２の動作に基づいて）１つ以上の発光体９０４（例えば、ＬＥＤ）が照明されるとき、放出された光は、光透過性材料９０５の全体に沿って発光効果が形成され、これによってファッションアクセサリーの内部を照明するように、光透過性材料９０５に伝送される。図９Ｄに示されているように、ファッションアクセサリーのフレーム９０１またはその他のリジッドなコンポーネントは、ファッションアクセサリー９０６の縫い目またはその他の部分にクリンプまたは固定され得る。
【００３２】
本明細書中にさらに記載されているように、リードスイッチおよびインバータアセンブリ９０２は、当業者によって理解され得るように、ファッションアクセサリーにおける様々な位置に配置され得る。例えば、アセンブリ９０２は、ファッションアクセサリーの側壁フレームの１つの端部に配置されたり（図９Ａ）、ファッションアクセサリーの側壁フレームの中央部に配置されたり（図９Ｂ）、あるいはフレームから離れた位置において、ワイヤ９０７を介して１つ以上の発光体９０４と電気通信するように配置されたりし得る。最後のバリエーションは、ファッションアクセサリーのフレームと内部に対する発光体とが、磁気的リードスイッチの動作が機能し得る位置の近くに機械的に接近しない場合において、特に望ましい。例えば、リードスイッチが財布の開口部の近くに配置されることが望ましい一方で、財布のフレームと内部に対する発光体とが財布の底部に構成される場合、このタイプの機械的配置は、特に効果的であり得る。当業者は、財布および代替的なファッションアクセサリーの両方に関連する、多くの代替的構成を容易に認識し得る；これらの各々は、本発明の範囲内に存在すると考えられ、不必要な実験をすることなしに、容易に実施され得る。
【００３３】
本発明のスイッチ１０３は、ファッションアクセサリー１００の開口部１０８において、またはこの開口部の近くにおいて、含まれ得る。図１に例示的に示されているように、スイッチ１０３は、ファッションアクセサリー１００の開口部１０８に含まれ得る。ファッションアクセサリー１００が開かれるとき、スイッチ１０３は、照明源１０１を照明させ、ファッションアクセサリー１００が閉じられるとき、スイッチ１０３は、照明源１０１をオフにさせる。ファッションアクセサリー１００の全体的な構成、およびこれに含まれる本発明の実施形態の残りの要素に依存して、スイッチ１０３は、実質的に見えないようにされ得る。しかしながら、図４に示されている実施形態においては、スイッチ１０３を見ることができる。したがって、本発明の特定の実施形態において、特に、ファッションアクセサリー１００が開位置にあるときにスイッチ１０３が見えるように構成された実施形態においては、比較的小さいスイッチ１０３を選択することが望ましくあり得る。
【００３４】
上記の記載は、本発明の特定の実施形態に言及してきたが、本発明の精神から逸れることなしに、多くの改変がなされ得ることが理解され得る。添付の請求の範囲は、本発明の正しい範囲および精神に含まれるそのような改変をカバーすることが意図されている。したがって、本明細書において開示された実施形態は、全ての点において、例示的かつ非限定的なものであると考えられるべきであり、本発明の範囲は、上述の記載によってではなく添付の請求の範囲によって示されている。したがって、請求の範囲の等価物の意味および範囲に含まれる全ての変更は、本明細書に含まれることが意図されている。
【図面の簡単な説明】
【００３５】
【図１】図１は、本発明の実施形態にしたがう、照明デバイスを含んでいるファッションアクセサリーの透視図を示している。ファッションアクセサリーは、開位置において示されている。
【図２】図２は、本発明の実施形態にしたがう、照明デバイスを含んでいるファッションアクセサリーの透視図を示している。ここで照明デバイスの様々な要素は、ファッションアクセサリーの内部の裏張りによって、見えないようになっている。ファッションアクセサリーは、開位置において示されている。
【図３】図３は、ファッションアクセサリーに取り付ける前における、本発明の実施形態にしたがう照明デバイスを示している。
【図４】図４は、本発明の実施形態にしたがう、照明デバイスを含んでいるファッションアクセサリーの透視図を示している。ファションアクセサリーは、閉位置において示されている。
【図５】図５は、ファッションアクセサリーに取り付ける前における、本発明の実施形態にしたがう、２重照明源を有する照明デバイスを示している。２重照明源は、分岐したワイヤと電気通信し、単一電源とさらに電気通信する。
【図６】図６は、本発明の実施形態にしたがう、ファッションアクセサリーの上面図を示している。ファッションアクセサリーは、２重照明源、ファッションアクセサリーの内部の裏張りに縫い付けられた、バッテリーパックホルダーにおけるバッテリーパックを含んでいる。
【図７】図７は、本発明の実施形態にしたがう、ファッションアクセサリーに対するエレクトロルミネセントワイヤの搭載の分解図を示している。エレクトロルミネセントワイヤのリップ（その軸の長さに沿って走っている）は、ファッションアクセサリーの内部の裏張りの縁に固定されており（例えば、縫い付けられており）、その後その周りには、ファションアクセサリーのフレームが（例えば、クリンピングによって）留められる。
【図８】図８は、本発明実施形態にしたがう再充電アセンブリを示している。
【図９】図９は、本発明の実施形態にしたがう、光透過性材料および１つ以上の発光体と共に構成された交互のフレームを示している。スイッチおよび１つの端部におけるインバータアセンブリと一緒の側壁フレーム（図９Ａ）、中央におけるスイッチおよびインバータアセンブリと一緒の側壁フレーム（図９Ｂ）、およびファッションアクセサリーに遠隔的に固定され、ワイヤ接続を介して１つ以上の発光体と電気通信するように構成されたスイッチおよびインバータアセンブリと一緒の下部フレーム（図９Ｃ）を含む、様々なフレームが例示的に示されている。図９Ｄは、ファッションアクセサリーの縫い目またはその他の部分に固定されたフレームの断面図を示している。
【図１０】図１０は、本発明の実施形態にしたがう、ファッションアクセサリーのリジッドなコンポーネントに機械的に固定されたエレクトロルミネセントワイヤ（図１０Ａ）、ならびにファッションアクセサリーの縫い目またはその他の部分に固定されたエレクトロルミネセントワイヤの断面図を示している（図１０Ｂ）。
【図１１】図１１は、本発明の実施形態にしたがう、磁気リードスイッチおよびインバータを含んでいる単一のアセンブリを示している。
【図１】
2009505694.tif 000003
【図２】
2009505694.tif 000004
【図３】
2009505694.tif 000005
【図４】
2009505694.tif 000006
【図５】
2009505694.tif 000007
【図６】
2009505694.tif 000008
【図７】
2009505694.tif 000009
【図８】
2009505694.tif 000010
【図９Ａ】
2009505694.tif 000011
【図９Ｂ】
2009505694.tif 000012
【図９Ｃ】
2009505694.tif 000013
【図９Ｄ】
2009505694.tif 000014
【図１０Ａ】
2009505694.tif 000015
【図１０Ｂ】
2009505694.tif 000016
【図１０Ｃ】
2009505694.tif 000017
【図１０Ｄ】
2009505694.tif 000018
【図１０Ｅ】
2009505694.tif 000019
【図１１】
2009505694.tif 000020